(57)【要約】      （修正有）【課題】システムキッチンにカウンターテーブルとしての機能を持たせながら、圧迫感を生じさせにくくしたり、台所側から居室側への視界が確保でき、さらに、子供にとっても使い易いシステムキッチンを提供する。【解決手段】カウンター１を備えたシステムキッチンにおいて、前記カウンター１は、シンク２とコンロ３を備えたキッチン側の上段カウンター１−１と、居室側のテーブル機能をもった下段カウンター１−２より構成する。上段カウンター１−１及び下段カウンター１−２はそれぞれ幅方向における居室側への飛び出し量が、交互にかつ曲線状に変化する曲線状システムキッチンである。【選択図】図１
2007190262.tif 000002
【特許請求の範囲】
【請求項１】
カウンターを備えたシステムキッチンにおいて、前記カウンターの居室側への飛び出し量が、カウンターの幅方向で変化するカウンター付システムキッチン。
【請求項２】
請求項１において、カウンターが上下方向に２段に設けられ、カウンターの居室側への飛び出し量が、カウンターの幅方向において、上下のカウンターで交互に変化するカウンター付システムキッチン。
【請求項３】
請求項１、または、請求項２の何れかにおいて、カウンターの幅方向におけるカウンターの居室側への飛び出し量の変化が、曲線状であるシステムキッチン。
【発明の詳細な説明】
【技術分野】
【０００１】
本発明は、カウンターを備えたシステムキッチンに関する。
【背景技術】
【０００２】
カウンターを備えたシステムキッチンとしては、図４に示すものが知られている。この図４に示すように、カウンターテーブルとしての使い易さを考慮して、一般にカウンター１は居室方向への飛び出し量６を大きくする設計となることが多く、システムキッチン全体としては台所側から居室側に向かって幅広となるものが多かった。このため、部屋の広さに対してシステムキッチンのサイズが大きくなりがちで、圧迫感を感じさせる問題があった。また、台所側から居室側への視界が遮られ、特に小さい子供がいる家庭ではカウンター１の下側の視界が遮られることにより、子供の様子がわかりくい問題があった。さらに、カウンタートップの高さは、システムキッチンのトップと同一の設計となることが多く、小さい子供にとっては高過ぎて使いにくいという問題があった。
【０００３】
カウンターテーブルについては、カウンターテーブルの居室側の飛び出した部分を分離させ、この部分を折りたたみ可能とすることにより、各生活シーンに対応させて使用することができるようにした対面キッチンカウンターが考えられている（特許文献１）。また、カウンターテーブルの居室側の飛び出した部分を上下に可動とし、台所と隣接部屋間での会話等の意思疎通における使い勝手を向上させたものが考えられている（特許文献２）。
【特許文献１】特開２０００５−３０４８７５号公報
【特許文献２】特開２０００５−３０４８７４号公報
【発明の開示】
【発明が解決しようとする課題】
【０００４】
しかしながら、使い勝手に応じて、カウンターテーブルの居室側の飛び出した部分を、その都度、折りたたんだり、上下に動かすのは、面倒である。食器や料理等がカウンターテーブル上に置かれている状態では、折りたたんだり、上下に動かす操作をすることはできない。また、大人と子供が一緒に使用したい場合は、カウンターの高さを何れかに合せるしかなく、何れかが不便な思いをすることになる。
【０００５】
本発明は、上記問題に鑑みなされたもので、使い方に合せて、その都度、カウンターテーブルを操作する面倒がなく、システムキッチンにカウンターテーブルとしての機能を持たせながら、圧迫感を生じさせにくく、意思疎通がし易く、また、台所側から居室側への視界が確保でき、さらに、大人と子供の両方が使い易いシステムキッチンを提供することを目的とする。
【課題を解決するための手段】
【０００６】
（１）  本発明は、カウンターを備えたシステムキッチンにおいて、前記カウンターの居室側への飛び出し量が、カウンターの幅方向で変化するカウンター付システムキッチンである。
（２）  本発明は、項（１）において、カウンターが上下方向に２段に設けられ、カウンターの居室側への飛び出し量が、カウンターの幅方向において、上下のカウンターで交互に変化するカウンター付システムキッチンである。
（３）  本発明は、項（１）、または項（２）の何れかにおいて、カウンターの幅方向におけるカウンターの居室側への飛び出し量の変化が、曲線状であるシステムキッチンである。
【発明の効果】
【０００７】
本発明によれば、カウンターを備えたシステムキッチンにおいて、前記カウンターの居室側への飛び出しの長さ（以下、「飛び出し量」と言う。）を、前記カウンターの幅方向で変化させることにより、幅方向で同一の飛び出し量を有する従来のシステムキッチンに比べて、幅方向の一部の飛び出し量が小さくなるが、他の部分は飛び出し量を確保できる。このため、カウンターテーブルとしての使い勝手をほとんど損なうことなく、システムキッチンの存在による圧迫感を抑えることができ、また、台所と、それに隣接する部屋（以下、「居室」と言う。）のコミュニケーションの円滑さを確保し、さらに、台所側から居室側への視界を確保することができる（請求項１）。
【０００８】
本発明によれば、カウンターを上下に２段に設け、カウンターの幅方向におけるカウンターの居室側への飛び出し量を、上下のカウンターで交互に変化するようにしたことにより、上段のカウンターの飛び出し量の小さい部分には、下段のカウンターの飛び出し量の大きい部分が設けられるようになる。このため、大人が使用する上段のカウンターを有しつつ、子供にとっても使い易い高さのカウンターを下段に設けることができる。また、このため、上段のカウンターを大人が、下段のカウンターを小さい子供が、同時に使用することができる（請求項２）。
【０００９】
本発明によれば、カウンターの幅方向におけるカウンターの居室側への飛び出し量の変化を、曲線状とすることにより、さらに、システムキッチンの存在による圧迫感を抑えることができ、和やかさを演出することができる。また、飛び出し量の変化が直線的で角がある場合に比べてより安全性を確保できる（請求項３）。
【発明を実施するための最良の形態】
【００１０】
本発明で使用するシステムキッチンは、いわゆる対面式システムキッチンであり、居室側に飛び出したカウンターを有するものであれば、特に限定するものではない。この対面式システムキッチンは、台所と居室が対面する形のオープンキッチンの一種である。一例としては、住宅内で使用されるもので、シンク、コンロ、カウンターを兼ねた天板、キャビネット、水栓機器、居室側へ飛び出したカウンター、サイドパネル、フードで構成されるものがある。
【００１１】
特に、台所から居室までの空間を広く開放したデッキカウンタータイプと言われるシステムキッチンを使用した場合は、カウンターがテーブルとしての機能を有するよう、カウンターのサイズが大きく設計されているにもかかわらず、圧迫感を軽減することができ、台所と居室空間が一体化することにより、開放感を味わえるという特徴を最大限に生かすことができるため有効である。
【００１２】
本発明で使用するカウンターは、一般の対面式システムキッチンで使用されるものであればよく、特に限定するものではない。一例としては、キッチンの作業に必要な対荷重性、対殺傷性、耐熱性を備え、シンク・コンロの搭載と調理作業、配膳に必要なサイズを有し、カウンターが居室側に飛び出したものが使用される。
【００１３】
本発明におけるカウンターの飛び出し量は、特に限定するものではないが、テーブルとしての機能を有するよう、少なくともカウンターの幅方向の一部が、配膳や椅子に座る者の足を入れるのに十分な飛び出し量を有するのが望ましい。
【００１４】
カウンターの居室側への飛び出し量を、カウンターの幅方向で変化させたものは、少なくとも一部の飛び出し量が他の部分に比べて小さくなるので、カウンターの存在による圧迫感を軽減できる。また、台所側から居室側への視界を確保することができる点、カウンターのキッチン側とカウンターの居室側の両側でお互いに受け渡し、使い易い奥行きのカウンターを提供することができる点で望ましい。
【００１５】
カウンターの幅方向の飛び出し量、および、飛び出し量の変化を、最大で５００ｍｍとした場合は、カウンターがテーブルとしての機能を持ちつつ、圧迫感を軽減できるため望ましい。飛び出し量が小さくなる部分を、カウンターの幅方向の中央から一方の端部にかけて設けた場合は、圧迫感を軽減する効果が大きいので望ましい。さらに、その端部がシステムキッチンの通路側である場合には、開放空間が拡大するため望ましい。
【００１６】
本発明で使用するカウンターの構成は、一般的なシステムキッチンのように、キッチン部分（コンロ、シンクが搭載された主に調理作業に使用する部分）の天板と、テーブル部分（主にテーブルとして使用する部分）の天板を備えるものであれば、特に制限はない。これらの天板を面一となるように構成したカウンターは、キッチン部分とテーブル部分の間に段差が無いため、使い勝手がよく望ましい。
【００１７】
また、上記のカウンターの下側の居室側に、カウンターをもう一つ設け、上下方向に２段としたものは、下側のカウンターを小さい子供用して使用することができ、小さい子供にとっても使い易い高さのカウンターを提供することができる点で望ましい。
さらに、カウンターの幅方向におけるカウンターの居室側への飛び出し量が、上下のカウンターで交互に変化するようにすることで、一方のカウンターの飛び出し量の大きい部分を使用する場合に、もう一方のカウンターが邪魔にならないため望ましい。このため、大人と子供の両方に使い勝手がよいシステムキッチンを提供できる。また、上下のカウンターで、大人と子供が使用する幅方向の部分が異なるため、大人と子供が同時に使用することができ、それぞれの使用するカウンターの高さが異なっても、家族の一体感を保つことができ望ましい。
【００１８】
なお、上側のカウンターの飛び出し量が小さい部分と下側のカウンターの飛び出し量の大きい部分が、カウンターの幅方向の中央から通路側の端部にかけて設けられた場合は、開放空間が拡大するため望ましい。この場合、下側のカウンターの飛び出し量を、上側のカウンターの飛び出し量よりも小さくすると、さらに開放空間を拡大することができるため望ましい。また、小さい子供や調理をする者が、カウンターのキッチン側とカウンターの居室側の両側でお互いに受け渡しのし易い奥行きのカウンターを提供することができる点で望ましい。
【００１９】
本発明で使用するカウンターの形状は、幅方向で飛び出し量が変化するものであれば、特に限定するものではなく、直線状であっても曲線状であってもよい。
居室側への飛び出し量が、カウンターの幅方向で曲線状に変化するようにした場合は、リラックスした雰囲気や、和やかさを演出することができる。また、飛び出し量の変化が直線的で角がある場合に比べてより安全性を確保できる。
また、飛び出し量を変化させる場合は、シンク方向を小とし、コンロ方向を大とすることで、立ち時間の長いシンク側からの見通しが良くなり、特に子供の安全をより一層確保できる。
【００２０】
本発明のシステムキッチンの使用方法は、生活シーンや家族構成等に合せて使用することができ、特に使用方法に制限はないが、上段カウンターの居室側をテーブル、調理作業カウンターとして使用できる。下段カウンターは子供が食事や作業、学習用のカウンターとして使用できる。
特に、カウンター越しの受渡しや親子の共同調理作業の際に、家族のコミュニケーションを図ることができる点で望ましい。
【実施例】
【００２１】
本発明のシステムキッチンの実施例を図１に示す。
【００２２】
本実施例で使用するシステムキッチンは、住宅用に使用される、台所から居室までの空間を広く開放したデッキカウンタータイプと言われるシステムキッチンである。シンク２、コンロ３、上側カウンター１−１、下側カウンター１−２、背面板大板４−１、背面板小板４−２、上側カウインター用サイドパネル５−１、下側カウンター用サイドパネル５−２、等で構成される。
【００２３】
本実施例で使用する上側のカウンター１−１を図２に、下側のカウンター１−２を図３に示す。
【００２４】
本実施例におけるカウンター１−１、１−２の飛び出し量６−１、６−２は、テーブルとしての機能を有するよう、カウンター１−１、１−２の幅方向の一部が、配膳や椅子に座る者の足を入れるのに十分な飛び出し量６−１、６−２を有する。
上側カウンター１−１の居室側への飛び出し量６−１を、上側カウンター１−１の幅方向で変化させ、飛び出し量６−１を５０ｍｍ〜４００ｍｍとしている。また、上側カウンター１−１の飛び出し量６−１が小さくなる部分を、上側カウンター１−１の幅方向の中央からキッチンの通路側の端部にかけて設けている。
これにより、上側カウンター１−１がテーブルとしての機能を持ちつつ、圧迫感を軽減できる。また、台所側から居室側への視界を確保することができ、上側カウンター１−１のキッチン側と居室側の両側でお互いに受け渡し、使い易い奥行きのシステムキッチンを提供することができる。
【００２５】
本実施例で使用する上側カウンター１−１の構成は、キッチン部分（コンロ３、シンク２が搭載された主に調理作業に使用する部分）の天板と、テーブル部分（主にテーブルとして使用する部分）の天板を備え、これらの天板を面一となるように構成している。このため、キッチン部分とテーブル部分の間に段差が無いため使い勝手がよい。
【００２６】
また、上記の上側カウンター１−１の下側の居室側に、下側カウンター１−２を設け、カウンター１を上下方向に２段としている。下側カウンター１−２の居室側への飛び出し量６−２を、下側カウンター１−２の幅方向で変化させ、飛び出し量６−２を５０ｍｍ〜４００ｍｍとしている。また、下側カウンター１−２の飛び出し量６−２が大きくなる部分を、下側カウンター１−２の幅方向の中央からキッチンの通路側の端部にかけて設けている。
これにより、下側カウンター１−２を小さい子供用して使用することができ、小さい子供にとっても使い易い高さのカウンターを提供することができる。
【００２７】
さらに、上側カウンター１−１と下側カウンター１−２の幅方向におけるカウンターの居室側への飛び出し量が、交互に変化するようにしている。これにより、例えば、上側カウンター１−１の飛び出し量６−１の大きい部分を使用する場合に、もう一方の下側カウンター１−２が邪魔にならない。逆に、下側カウンター１−２の飛び出し量６−２の大きい部分を使用する場合に、もう一方の上側カウンター１−１が邪魔にならない。
これにより、大人と子供の両方に使い勝手がよいシステムキッチンを提供できる。また、上側カウンター１−１と下側カウンター１−２で、大人と子供が使用する幅方向の部分が異なるため、大人と子供が同時に使用することができ、それぞれが使用するカウンターの高さが異なっても、家族の一体感を保つことができる。
【００２８】
なお、上側カウンター１−１の飛び出し量６−１が小さい部分と下側カウンター１−２の飛び出し量６−２の大きい部分が、それぞれのカウンター１−１、１−２の幅方向の中央から通路側の端部にかけて設けられている。これにより、開放空間が拡大する。また、下側カウンター１−２の飛び出し量６を、上側カウンター１−２の飛び出し量６−１よりも小さくしている。これにより、さらに開放空間を拡大することができる。また、小さい子供や調理をする者が、キッチン側とカウンターの居室側の両側でお互いに受け渡しのし易い奥行きのシステムキッチンを提供することができる。
【００２９】
本実施例で使用する上側カウンター１−１および下側カウンター１−２の形状は、居室側への飛び出し量６−１、６−２が、それぞれのカウンター１−１、１−２の幅方向で曲線状に変化するようにしている。これにより、リラックスした雰囲気や、和やかさを演出することができる。また、飛び出し量の変化が直線的で角がある場合に比べて安全性を確保できる。
【００３０】
本実施例のシステムキッチンの上側カウンター１−１の居室側をテーブル、調理作業カウンターとして使用する。下側カウンター１−２は子供が食事や作業、学習用のカウンターとして使用する。これにより、台所側と居室側との間の受渡しや親子の共同調理作業の際に、家族のコミュニケーションを図ることができる。
【図面の簡単な説明】
【００３１】
【図１】本発明のシステムキッチンの斜視図である。
【図２】本発明のシステムキッチンに使用する上側カウンターの平面図である。
【図３】本発明のシステムキッチンに使用する下側カウンターの平面図である。
【図４】従来のカウタンー付システムキッチンの斜視図である。
【符号の説明】
【００３２】
１：カウンター
１−１：上段カウンター
１−２：下段カウンター
２：シンク
３：コンロ
４：背面板
４−１：背面板大板
４−２：背面板小板
５：サイドパネル
５−１：上段カウンター用サイドパネル
５−２：下段カウンター用サイドパネル
６：飛び出し量
６−１：上側カウンターの飛び出し量
６−２：下側カウンターの飛び出し量
【図１】
2007190262.tif 000003
【図２】
2007190262.tif 000004
【図３】
2007190262.tif 000005
【図４】
2007190262.tif 000006